(57)【要約】【課題】  架空配電線等の絶縁電線の補修等の作業において、対象の絶縁電線の中間部の被覆を容易に、短時間で、効率良く剥ぎ取ることができるものを提供する。【解決手段】  本体部２と、本体部２に設けられる第１アーム３と第２アーム５と可動アーム７と、第１アーム３に設けられ、電線の被覆の上半部に周方向を向く切れ込みを形成する一対の上横刃１２、１３と、電線の被覆の上半部に長さ方向を向く切れ込みを形成する上縦刃１４と、可動アーム７に設けられ、電線の被覆の下半部に周方向を向く切れ込みを形成する一対の下横刃１６、１７と、電線の被覆の下半部に長さ方向を向く切れ込みを形成する下縦刃１８とを備える。【選択図】        図１
2016123156.tif 000002
【特許請求の範囲】
【請求項１】
電線の中間部の被覆を間接活線工法により剥ぎ取る電線被覆剥ぎ取り工具であって、
前記電線の中間部に引っ掛けられた状態に装着される本体部と、該本体部に設けられるとともに、前記電線を上下方向から挟んだ状態で対向配置される第１アーム及び第２アームと、
前記第２アームの前記第１アームとの対向面に設けられ、前記第１アームの方向に進退可能な可動アームと、
前記第１アームに設けられるとともに、前記電線の中間部の被覆の上半部の長さ方向の両端に食い込み、被覆の上半部に周方向を向く切れ込みを形成可能な一対の上横刃と、
前記第１アームに設けられるとともに、前記電線の中間部の被覆の上半部に前記電線の芯線の接線方向の上方から食い込み、被覆の上半部に長さ方向を向く切れ込みを形成可能な上縦刃と、
前記可動アームに設けられるとともに、前記電線の中間部の被覆の下半部の長さ方向の両端に食い込み、被覆の下半部に周方向を向く切れ込みを形成可能な一対の下横刃と、
前記可動アームに設けられるとともに、前記電線の中間部の被覆の下半部に前記電線の芯線の接線方向の下方から食い込み、被覆の下半部に長さ方向を向く切れ込みを形成可能な下縦刃とを備えていることを特徴とする電線被覆剥ぎ取り工具。
【請求項２】
前記上横刃及び前記下横刃は、円弧板状に形成されるとともに、前記電線の太さに応じた曲率半径に設定され、前記上縦刃及び前記下縦刃は、長方形板状に形成されるとともに、刃高が前記上横刃及び前記下横刃の刃高よりも若干高く形成されていることを特徴とする請求項１に記載の電線被覆剥ぎ取り工具。
【請求項３】
前記上横刃と前記上縦刃との間、及び前記下横刃と前記下縦刃との間には、前記上横刃により形成された切り込みと前記上縦刃により形成された切り込みとの間の被覆、及び前記下横刃により形成された切り込みと前記下縦刃により形成された切り込みとの間の被覆を逃がす逃げ溝が設けられていることを特徴とする請求項１又は２に記載の電線被覆剥ぎ取り工具。
【請求項４】
前記上横刃及び前記下横刃は、刃先がギザギザ形状に形成されていることを特徴とする請求項１〜３の何れか１項に記載の電線被覆剥ぎ取り工具。
【発明の詳細な説明】
【技術分野】
【０００１】
本発明は、電線被覆剥ぎ取り工具に関し、特に、間接活線工法により活線状態の絶縁電線の中間部の被覆を剥ぎ取る作業に有効な電線被覆剥ぎ取り工具に関する。
【背景技術】
【０００２】
従来、架空配電線等の絶縁電線の補修等の作業において、各種の電線被覆剥ぎ取り工具を用いて、間接活線工法により活線状態の絶縁電線の中間部の被覆を剥ぎ取る作業が行われている。
【０００３】
この種の作業に使用される電線被覆剥ぎ取り工具の例が特許文献１、２に記載されている。
特許文献１に記載の電線被覆剥ぎ取り工具（電線被覆剥離工具）は、ガイド部の上下端に保持部と基台部が互いに向き合うように設けられる断面略コ字状の本体と、保持部の基台部との対向面に設けられる絶縁電線を保持するための断面略半円形状の凹溝と、基台部の中央部に回転可能に螺着される主軸と、主軸の先端に設けられるとともに、主軸の回転に追従してガイド部に沿って保持部の方向に進退可能な刃体ホルダーと、刃体ホルダーの保持部との対向面に設けられる凹溝と、刃体ホルダーに設けられるとともに、刃の部分が保持部の凹溝の方向に突出する片刃の刃体とを備えている。
【０００４】
このような構成の電線被覆剥ぎ取り工具の保持部を絶縁電線の中間部に引っ掛け、主軸を回転させて刃体ホルダーを保持部に接近する方向に移動させて、絶縁電線を保持部の凹溝と刃体ホルダーの凹溝との間で挟持する。
【０００５】
そして、主軸を回転させて刃体ホルダーの刃体を絶縁電線の被覆に食い込ませ、この状態で主軸を絶縁電線の周方向に一周以上回転させることにより、刃体ホルダーの刃体によって絶縁電線の中間部の被覆を全周に亘って剥ぎ取ることができる。
【０００６】
また、特許文献２に記載の電線被覆剥ぎ取り工具（電線皮剥ぎ装置）は、絶縁電線の被覆に対して、円周方向の切込みを入れる上下一対の横切込みカッタと、被覆に対して長手方向の接線上に切込みを入れる接線切込みカッタとを備えたものであって、上下一対の横切込みカッタが、皮剥ぎ長さに相当する間隔に２つが対向して設置され、上下方向に可動する接線切込みカッタの刃先部が、横切込みカッタに設けた平行刃部の高さよりも僅かに高く形成されている。
【０００７】
このような構成の電線被覆剥ぎ取り工具を絶縁電線の中間部に装着し、上下一対の横切込みカッタを接近する方向に移動させることにより、絶縁電線の中間部の被覆の長さ方向の両端に横切込みカッタを上下方向から食い込ませることができ、接線切込みカッタの刃先部を中間部の被覆に接線方向から食い込ませることができる。
【０００８】
ところで、特許文献１に記載の電線被覆剥ぎ取り工具は、刃体を絶縁電線の被覆に食い込ませた状態で、電線被覆剥ぎ取り工具を絶縁電線の周方向に一周以上回転させる必要があり、その作業に大きな力を必要とするため、絶縁電線の中間部の被覆を剥ぎ取る作業に非常に手間がかかる。また、絶縁電線の間隔の狭いところにおいては、作業に大きな力を必要とすることから、作業中に対象の絶縁電線が大きく揺れて、隣接する絶縁電線に接触等することにより短絡事故を起こすおそれがある。
【０００９】
また、特許文献２に記載の電線被覆剥ぎ取り工具は、接線切込みカッタの刃先部を中間部の被覆に接線方向から食い込ませた状態で、全体を絶縁電線の周方向に一周以上回転させて被覆を剥ぎ取る必要があり、その作業に大きな力を必要とするため、絶縁電線の中間部の被覆を剥ぎ取る作業に非常に手間がかかる。また、絶縁電線の中間部の被覆を剥ぎ取る際に、大きな力を必要とすることから、対象の絶縁電線が大きく揺れて、隣接する絶縁電線に接触等することにより短絡事故を起こすおそれがある。
【先行技術文献】
【特許文献】
【００１０】
【特許文献１】特開２０１０−２２１８２号公報
【特許文献２】特開２０１１−８０１７１号公報
【発明の概要】
【発明が解決しようとする課題】
【００１１】
本発明は、上記のような従来の問題に鑑みなされたものであって、架空配電線等の絶縁電線の補修等の作業において、対象の絶縁電線の中間部の被覆を容易に、短時間で、効率良く剥ぎ取ることができるとともに、作業中に対象の絶縁電線が大きく揺れて、隣接する絶縁電線に接触する等して短絡事故を起こすようなことがなく、絶縁電線の被覆の剥ぎ取り作業を安全に行うことができる電線被覆皮剥ぎ工具を提供することを目的とする。
【課題を解決するための手段】
【００１２】
上記のような課題を解決するために、本発明は、以下のような手段を採用している。
すなわち、本発明は、電線の中間部の被覆を間接活線工法により剥ぎ取る電線被覆剥ぎ取り工具であって、前記電線の中間部に引っ掛けられた状態に装着される本体部と、該本体部に設けられるとともに、前記電線を上下方向から挟んだ状態で対向配置される第１アーム及び第２アームと、前記第２アームの前記第１アームとの対向面に設けられ、前記第１アームの方向に進退可能な可動アームと、前記第１アームに設けられるとともに、前記電線の中間部の被覆の上半部の長さ方向の両端に食い込み、被覆の上半部に周方向を向く切れ込みを形成可能な一対の上横刃と、前記第１アームに設けられるとともに、前記電線の中間部の被覆の上半部に前記電線の芯線の接線方向の上方から食い込み、被覆の上半部に長さ方向を向く切れ込みを形成可能な上縦刃と、前記可動アームに設けられるとともに、前記電線の中間部の被覆の下半部の長さ方向の両端に食い込み、被覆の下半部に周方向を向く切れ込みを形成可能な一対の下横刃と、前記可動アームに設けられるとともに、前記電線の中間部の被覆の下半部に前記電線の芯線の接線方向の下方から食い込み、被覆の下半部に長さ方向を向く切れ込みを形成可能な下縦刃とを備えていることを特徴とする。
【００１３】
本発明の電線被覆剥ぎ取り工具によれば、本体部を対象の絶縁電線の中間部に引っ掛けて、上横刃を絶縁電線の中間部の被覆の上半部の長さ方向の両端に上方から食い込ませ、下横刃を絶縁電線の中間部の被覆の下半部の長さ方向の両端に下方から食い込ませて、上横刃の刃先、及び下横刃の刃先を芯線の表面に到達させることにより、絶縁電線の中間部の被覆の長さ方向の両端を他の部分から切り離すことができる。そして、この状態で電線剥ぎ取り工具を絶縁電線の周方向に半周回転させることにより、絶縁電線の中間部の被覆に芯線の接線方向の上方及び下方から食い込ませて、刃先を芯線の表面に到達させた上縦刃及び下縦刃により、絶縁電線の中間部の被覆の上半部及び下半部を剥ぎ取ることができる。
従って、絶縁電線の中間部の被覆を全周に亘って剥ぎ取る作業に大きな力を必要とすることがなく、絶縁電線の中間部の被覆を容易に短時間で効率良く剥ぎ取ることができる。
また、絶縁電線の中間部の被覆を剥ぎ取る際に、大きな力を必要とすることがないので、作業中に対象の絶縁電線が大きく揺れて、隣接する絶縁電線に接触することにより短絡事故を起こすおそれはなく、絶縁電線の被覆を剥ぎ取る作業を安全に行うことができる。
【００１４】
また、本発明において、前記上横刃及び前記下横刃は、円弧板状に形成されるとともに、前記電線の太さに応じた曲率半径に設定され、前記上縦刃及び前記下縦刃は、長方形板状に形成されるとともに、刃高が前記上横刃及び前記下横刃の刃高よりも若干高く形成されていることとしてもよい。
【００１５】
本発明の電線被覆剥ぎ取り工具によれば、上横刃及び下横刃を対象とする絶縁電線の被覆の上半部及び下半分に食い込ませて、刃先を絶縁電線の芯線の表面に到達させた際に、上縦刃及び下縦刃の刃先が上横刃及び下横刃により被覆に形成された切り込みの先端よりも下方及び上方の芯線の表面に到達することになる。
【００１６】
また、本発明において、前記上横刃と前記上縦刃との間、及び前記下横刃と前記下縦刃との間には、前記上横刃により形成された切り込みと前記上縦刃により形成された切り込みとの間の被覆、及び前記下横刃により形成された切り込みと前記下縦刃により形成された切り込みとの間の被覆を逃がす逃げ溝が設けられていることとしてもよい。
【００１７】
本発明の電線被覆剥ぎ取り工具によれば、上横刃と前記上縦刃との間、及び下横刃と下縦刃との間の逃げ溝により、上横刃と上縦刃、及び下横刃と下縦刃を絶縁電線の被覆に食い込ませた際に、上横刃による切り込みと上縦刃により切れ込みとの間に位置する被覆、及び下横刃による切り込みと下縦刃による切れ込みとの間に位置する被覆をそれぞれ逃げ溝に逃がすことができ、その部分の被覆が上横刃と上縦刃との間、下横刃と下縦刃との間に噛み込むのを防止できる。
【００１８】
また、本発明において、前記上横刃及び前記下横刃は、刃先がギザギザ形状に形成されていることとしてもよい。
【００１９】
本発明の電線被覆剥ぎ取り工具によれば、ギザギザ形状の刃先により、絶縁電線の被覆に容易に切り込みを形成することができる。
【発明の効果】
【００２０】
以上、説明したように、本発明の電線被覆剥ぎ取り工具によれば、架空配電線等の絶縁電線の補修等の作業において、対象の絶縁電線の中間部の被覆を容易に、短時間で、効率良く剥ぎ取ることができるとともに、作業中に対象の絶縁電線が大きく揺れて、隣接する絶縁電線に接触する等して短絡事故を起こすようなことがなく、絶縁電線の被覆の剥ぎ取り作業を安全に行うことができる。
【図面の簡単な説明】
【００２１】
【図１】本発明による電線被覆剥ぎ取り工具の一実施の形態を示した概略図である。
【図２】本体部の第１アームと可動アームとの間に絶縁電線を挿入させた状態を示す説明図である。
【図３】上横刃の刃先、上縦刃の刃先、下横刃の刃先、及び下縦刃の刃先を絶縁電線の被覆に食い込ませた状態を示した説明図である。
【図４】絶縁電線の被覆に形成した切れ込みの説明図である。
【図５】電線被覆剥ぎ取り工具を絶縁電線の周方向に回転させている途中の状態を示した説明図である。
【図６】絶縁全電の被覆を剥ぎ取った状態を示した説明図である。
【発明を実施するための形態】
【００２２】
以下、図面を参照しながら本発明の電線被覆剥ぎ取り工具について説明する。
図１〜図６には、本発明による電線被覆剥ぎ取り工具の一実施の形態が示されている。本実施の形態の電線被覆剥ぎ取り工具１は、架空配電線等の絶縁電線２０の補修等の作業に適用され、間接活線工法により活線状態の絶縁電線２０の中間部の被覆２２を剥ぎ取る作業に有効なものである。
【００２３】
電線被覆剥ぎ取り工具１は、図１に示すように、上下方向に間隔をおいて対向配置される長方形板状の第１アーム３及び第２アーム５と、両アーム３、５の幅方向の一端間に連結される長方形板状のガイド６とからなる断面コ字形状の本体部２と、第２アーム５の第１アーム３との対向面に設けられるとともに、ガイド６によって第１アーム３の方向に進退可能に支持される可動アーム７と、第１アーム３の中央部に螺着されるとともに、上端が可動アーム７の中央部に連結されるねじ軸９と、第１アーム３の可動アーム７との対向面に設けられる上横刃１２、１３及び上縦刃１４と、可動アーム７の第１アーム３との対向面に設けられる下横刃１６、１７及び下縦刃１８とから構成されている。
【００２４】
ねじ軸９の下端には第１ハンドル１０が設けられ、第２アーム５の背面側には、支持軸１１ａの先端にリング１１ｂを一体に設けた第２ハンドル１１が設けられ、第１ハンドル１０及び第２ハンドル１１に操作棒等の間接活線工具（図示せず）が着脱可能に構成されている。
【００２５】
第１アーム３の可動アーム７との対向面には、第１アーム３の長さ方向を向く円弧断面の上凹溝４が設けられている。上凹溝４は、対象とする絶縁電線２０の太さに応じた曲率半径に設定され、この上凹溝４によって絶縁電線２０の上半部が支持されるようになっている。
【００２６】
上凹溝４の長さ方向の両端には、片刃からなる円弧板状の上横刃１２、１３がそれぞれ一体に設けられ、これらの上横刃１２、１３が対象の絶縁電線２０の上半部の被覆２２に上方から食い込み可能に構成されている。
【００２７】
上横刃１２、１３は、刃先１２ａ、１３ａが上凹溝４の底面から下方に所定の長さ突出するように刃高が設定されている。つまり、上横刃１２、１３は、図３に示すように、刃先１２ａ、１３ａが絶縁電線２０の被覆２２の厚さに相当する長さの分だけ上凹溝４の底面から下方に突出するように刃高が設定されている。また、上横刃１２、１３は、絶縁電線２０の芯線２１の太さに応じた曲率半径に設定されている。これにより、上横刃１２、１３を対象とする絶縁電線２０の被覆２２の上半部に上方から食い込ませた際に、刃先１２ａ、１３ａを絶縁電線２０の芯線２１の上半部の表面に到達させることができる。
【００２８】
上凹溝４の幅方向の一端（ガイド６側の端）には、片刃からなる長方形板状の上縦刃１４が一体に設けられ、この上縦刃１４が対象の絶縁電線２０の上半部の被覆２２に芯線２１の接線方向の上方から食い込み可能に構成されている。
【００２９】
上縦刃１４は、刃先１４ａが上凹溝４の底面から下方に所定の長さ突出するように、刃高が設定されている。つまり、上縦刃１４は、図３に示すように、上横刃１２、１３を絶縁電線２０の被覆２２の上半部に食い込ませ、上横刃１２、１３の刃先１２ａ、１３ａを芯線２１の表面に到達させた際に、刃先１４ａが絶縁電線２０の被覆２２の上半部に芯線２１の接線方向の上方から食い込み、刃先１４ａが芯線２１の接線方向の上方から新線２１の表面に到達するように、刃高が設定されている。また、上縦刃１４は、上横刃１２、１３の刃先１２ａ、１３ａよりも刃先１４ａが若干下方に突出するように、刃高が設定されている。これにより、図３に示すように、上横刃１２、１３を対象とする絶縁電線２０の被覆２２の上半部に上方から食い込ませて、刃先１２ａ、１３ａを絶縁電線２０の芯線２１の上半部の表面に到達させた際に、上縦刃１４の刃先１４ａが上横刃１２、１３により被覆２２に形成された切り込み２３（図４参照）の先端よりも下方の芯線２１の表面に到達することになる。
【００３０】
上横刃１２、１３と上縦刃１４との間には、上横刃１２、１３の刃先１２ａ、１３ａよりも一段低い上逃げ溝１５が設けられ、この上逃げ溝１５により、図３に示すように、上横刃１２、１３と上縦刃１４とを絶縁電線２０の被覆２２に食い込ませた際に、上横刃１２、１３による切れ込み２３（図４参照）と上縦刃１４による切れ込み２４（図４参照）との間に位置する被覆２２を逃がすことができ、その部分の被覆２２が上横刃１２、１３の先端と上縦刃１４の先端との間に噛み込むのを防止することができる。
【００３１】
可動アーム７の第１アーム３との対向面には、可動アーム７の長さ方向を向く円弧断面の下凹溝８が設けられている。下凹溝８は、上凹溝４と同様の構成を有するものであって、対象とする絶縁電線２０の太さに応じた曲率半径に設定され、この下凹溝８によって絶縁電線２０の下半部が支持されるようになっている。
【００３２】
下凹溝８の長さ方向の両端には、片刃からなる円弧板状の下横刃１６、１７がそれぞれ一体に設けられ、これらの下横刃１６、１７が対象の絶縁電線２０の下半部の被覆２２に下方から食い込み可能に構成されている。
【００３３】
下横刃１６、１７は、上横刃１２、１３と同様の構成を有するものであって、刃先１６ａ、１７ａが下凹溝８の底面から上方に所定の長さ突出するように刃高が設定されている。つまり、下横刃１６、１７は、図３に示すように、刃先１６ａ、１７ａが絶縁電線２０の被覆２２の厚さに相当する長さの分だけ下凹溝８の底面から上方に突出するように刃高が設定されている。また、下横刃１６、１７は、絶縁電線２０の芯線２１の太さに応じた曲率半径に設定されている。これにより、下横刃１６、１７を対象とする絶縁電線２０の被覆２２の下半部に下方から食い込ませた際に、刃先１６ａ、１７ａを絶縁電線２０の芯線２１の下半部の表面に到達させることができる。
【００３４】
下凹溝８の幅方向の他端（ガイド６と反対側の端）には、片刃からなる長方形板状の下縦刃１８が一体に設けられ、この下縦刃１８が対象の絶縁電線２０の下半部の被覆２２に芯線２１の接線方向の下方から食い込み可能に構成されている。
【００３５】
下縦刃１８は、上縦刃１４と同様の構成を有するものであって、刃先１８ａが下凹溝８の底面から上方に所定の長さ突出するように、刃高が設定されている。つまり、下縦刃１８は、図３に示すように、下横刃１６、１７を絶縁電線２０の被覆２２の下半部に食い込ませ、下横刃１６、１７の刃先１６ａ、１７ａを芯線２１の表面に到達させた際に、刃先が１６ａ、１７ａ絶縁電線２０の被覆２２の下半部に芯線２１の接線方向の下方から食い込み、芯線２１の表面に芯線２１の接線方向の下方から到達するように、刃高が設定されている。また、下縦刃１８は、下横刃１６、１７の刃先１６ａ、１７ａよりも刃先１８ａが若干上方に突出するように、刃高が設定されている。これにより、下横刃１６、１７を対象とする絶縁電線２０の被覆２２の下半部に下方から食い込ませて、刃先１６ａ、１７ａを絶縁電線２０の芯線２１の下半部の表面に到達させた際に、下縦刃１８の刃先１８ａが下横刃１６、１７により形成された切れ込みの先端よりも上方の芯線２１の表面に到達することになる。
【００３６】
下横刃１６、１７と下縦刃１８との間には、下横刃１６、１７の刃先１６ａ、１７ａよりも一段低い下逃げ溝１９が設けられ、この下逃げ溝１９により、下横刃１６、１７と下縦刃１８とを絶縁電線２０の被覆２２に食い込ませた際に、下横刃１６、１７による切れ込みと下縦刃１８による切れ込みとの間に位置する被覆２２を逃がすことができ、その部分の被覆２２が下横刃１６、１７と下縦刃１８との間に噛み込むのを防止することができる。
【００３７】
上記のような構成の電線被覆剥ぎ取り工具１を用いて、間接活線工法により対象の絶縁電線２０の中間部の被覆２２を剥ぎ取るには、まず、図1及び図２に示すように、第１ハンドル１０に操作棒（図示せず）を取り付け、操作棒を操作することにより、本体部２の第１アーム３と可動アーム７との間に絶縁電線２０を挿入させ、本体部２を絶縁電線２０の中間部に引っ掛けた状態に装着する。
【００３８】
次に、操作棒を操作してねじ軸９を回転させることにより、可動アーム７を第１アーム３の方向に前進させ、第１アーム３の上凹溝４を絶縁電線２０の中間部の被覆２２の上半部に当接させ、可動アーム７の下凹溝８を絶縁電線２０の中間部の被覆２２の下半部に当接させる。
【００３９】
そして、図３に示すように、操作棒を操作してねじ軸９を更に回転させることにより、第１アーム３側の上横刃１２、１３の刃先１２ａ、１３ａを絶縁電線２０の中間部の被覆２２の上半部の長さ方向の両端に上方から食い込ませ、上縦刃１４の刃先１４ａを絶縁電線２０の中間部の被覆２２の上半部に芯線２１の接線方向の上方から食い込ませ、可動アーム７側の下横刃１６、１７の刃先１６ａ、１７ａを絶縁電線２０の中間部の被覆２２の下半部の長さ方向の両端に下方から食い込ませ、下縦刃１８の刃先１８ａを絶縁電線２０の中間部の被覆２２の下半部に芯線２１の接線方向の下方から食い込ませる。
【００４０】
そして、操作棒を操作してねじ軸９を更に回転させることにより、上横刃１２、１３の刃先１２ａ、１３ａを絶縁電線２０の芯線２１の表面に上方から到達させ、上縦刃１４の刃先１４ａを絶縁電線２０の芯線２１の表面に芯線２１の接線方向の上方から到達させ、下横刃１６、１７の刃先１６ａ、１７ａを絶縁電線２０の芯線２１の表面に下方から到達させ、下縦刃１８の刃先１８ａを絶縁電線２０の芯線２１の表面に芯線２１の接線方向の下方から到達させる。
【００４１】
これにより、図４に示すように、絶縁電線２０の中間部の被覆２２の長さ方向の両端にほぼ全周に亘る切れ込み２３、２３が形成されるとともに、上半部の切れ込み２３と下半部の切れ込２３みとの間の境界部に連通する切れ込み２４、２４が芯線２１の接線方向の上方及び下方から形成されることになる。
【００４２】
そして、図5及び図６に示すように、操作棒を操作して電線被覆剥ぎ取り工具１を絶縁電線２０の周方向に半周回転させることにより、上縦刃１４で絶縁電線２０の中間部の被覆２２の下半部を剥ぎ取ることができ、下縦刃１７で絶縁電線２０の中間部の被覆２２の上半部を剥ぎ取ることができ、絶縁電線２０の中間部の被覆２２を全周に亘って剥ぎ取ることができ、中間部の芯線２１を露出させることができる。
【００４３】
上記のような構成の本発明の電線被覆剥ぎ取り工具１にあっては、本体部２を対象の絶縁電線２０の中間部に引っ掛けて、操作棒の操作によってねじ軸９を回転させて、上横刃１２、１３を絶縁電線２０の中間部の被覆２２の上半部の長さ方向の両端に上方から食い込ませ、下横刃１６、１７を絶縁電線２０の中間部の被覆２２の下半部の長さ方向の両端に下方から食い込ませて、上横刃１２、１３の刃先１２ａ、１３ａ、及び下横刃１６、１７の刃先１６ａ、１７ａを芯線２１の表面に到達させることにより、絶縁電線２０の中間部の被覆２２の長さ方向の両端を他の部分から切り離すことができる。そして、この状態で操作棒の操作によって電線剥ぎ取り工具１を絶縁電線２０の周方向に半周回転させることにより、絶縁電線２０の中間部の被覆２２に芯線２１の接線方向の上方及び下方から食い込ませて、刃先１４ａ、１８ａを芯線２１の表面に到達させた上縦刃１４及び下縦刃１８により、絶縁電線２０の中間部の被覆２２の上半部及び下半部を剥ぎ取ることができる。
【００４４】
従って、絶縁電線２０の中間部の被覆２２を全周に亘って剥ぎ取る作業に大きな力を必要とすることがなく、絶縁電線２０の中間部の被覆２２を容易に短時間で効率良く剥ぎ取ることができる。
【００４５】
また、絶縁電線２０の中間部の被覆２２を剥ぎ取る際に、大きな力を必要とすることがないので、作業中に対象の絶縁電線２０が大きく揺れて、隣接する絶縁電線２０に接触することにより短絡事故を起こすおそれはなく、絶縁電線２０の被覆２２を剥ぎ取る作業を安全に行うことができる。
【００４６】
なお、上記の説明においては、上横刃１２、１３の刃先１２ａ、１３ａ、及び下横刃１６、１７の刃先１６ａ、１７ａをストレートに形成したが、それらの刃先１２ａ、１３ａ、１６ａ、１７ａを鋸刃のようにギザギザに形成してもよい。
【符号の説明】
【００４７】
１  電線被覆剥ぎ取り工具
２  本体部
３  第１アーム
４  上凹溝
５  第２アーム
６  ガイド
７  可動アーム
８  下凹溝
９  ねじ軸
１０  第１ハンドル
１１  第２ハンドル
１１ａ  支持軸
１１ｂ  リング
１２  上横刃
１２ａ  刃先
１３  上横刃
１３ａ  刃先
１４  上縦刃
１４ａ  刃先
１５  上逃げ溝
１６  下横刃
１６ａ  刃先
１７  下横刃
１７ａ  刃先
１８  下縦刃
１８ａ  刃先
１９  下逃げ溝
２０  絶縁電線
２１  芯線
２２  被覆
２３  切れ込み（長さ方向）
２４  切れ込み（接線方向）
【図１】
2016123156.tif 000003
【図２】
2016123156.tif 000004
【図３】
2016123156.tif 000005
【図４】
2016123156.tif 000006
【図５】
2016123156.tif 000007
【図６】
2016123156.tif 000008